(57)【要約】      （修正有）【課題】従来のカラーアレンジメント器具で用いられていた１２色相と各色相の５段階明度差の色相環における明度差の段階数を６以上に増やすと共に、色相環における黄カラーと赤カラー、及び黄カラーの補色である青紫カラーと赤カラーの補色である青緑カラーを、前後のカラーナンバーにより２分割した色相環を形成したカラーアレンジメント装置を提供する。【解決手段】１２色相の同心同上の明度差区分を少なくとも６段階、好ましくは９段階に形成し、各段階に記号を含む名称を付けて１２色相を形成すると共に、１２色相における黄と赤、及び、これらの反対色である青紫と青緑の色相区分をさらに２つに等分割して形成して色相環を形成した。【選択図】図３
2018010050.tif 000002
【特許請求の範囲】
【請求項１】
環状に表示した１２色相であって前記１２色相について複数段階の明度差を付けた３０度単位の色相区分と同心円状に形成した前記明度差の区分（以下、明度差区分）を台紙上に具備した色相環と、前記台紙上の色相環の色相の中から選択する基準色相のカラー（以下、基準カラー）と選択された前記基準カラーの少なくとも補色のカラーとが見えるようにした縦長扇型の窓孔を設けた色相選択回転板とを具備するカラーアレンジメント装置において、前記色相環における１２色相の同心円上の明度差区分を、前記色相環の外周側は高い明度の色相を配置する一方、中心側は低い明度の色相を配置して少なくとも６段階、好ましくは９段階に分けて夫々に記号を含む名前を付けて形成すると共に、前記１２色相における黄と赤の色相区分、及び、これらの反対色である青紫と青緑の色相区分を、夫々にさらに２つに等分割して形成したことを特徴とするカラーアレンジメント装置。
【請求項２】
前記色相環を表示した台紙における当該色相環と重複しない空白部位か、又は別の台紙に、前記色相環の色相の中で、色に青みを多く感じる色（＝ブルーアンダートーン）と、色に黄みを多く感じる色（＝イエローアンダートーン）を、夫々に、前記色相環の上で抽出し、これらをカラーアンダートーンとして表示した請求項１に記載のカラーアレジメント装置。
【請求項３】
前記カラーアンダートーンの表示に隣接した台紙の空白部位に、前記色相環の上で色相選択回転板の基準カラーの窓孔の回転位置で選択した基準カラーに対して、その基準カラーと同系色相の配色，同じく基準カラーと類系色相の配色，同じく基準カラーと反対色相の配色の仕方を３つの色相配色方法としてイラスト表示した請求項２に記載のカラーアレジメント装置。
【請求項４】
上記色相配色方法のイラスト表示に隣接した空白部位に、３つの色調配色方法として、明度差を縦軸に彩度差を横軸にした複数のマトリックス状区画を前記３つの色調配色方法に対応して形成し、同系色調の配色，類系色調の配色，反対色調の配色の３つの色調配色の夫々について、前記色相環において付与した明度差の記号を含む名称を前記の各マトリックス区画にそれぞれ記入すると共に前記の各マトリックス区画上に前記の色調配色形態を表示した請求項３に記載のカラーアレジメント装置。
【発明の詳細な説明】
【技術分野】
【０００１】
本発明は、台紙上に色相環に配置した複数のカラー配列の中から基準となるカラーを選択すると、その基準カラーと一定の関係にある他のカラーを自動的に選択できるという基本的機能に加え、色相環状に分類して表示したカラーアンダートーンを視覚的に把握できること、並びに、前記色相環に基づく基本的配色方法として色相配色方法と色調配色方法を知得することができるようにした、カラーアレンジメント装置に関する。
【背景技術】
【０００２】
本発明の発明者は、先に特許文献１に記載されているカラーアレジメント用の器具を提案し特許を取得した。
このカラーアレジメント器具は実用化され、現時点においても、特にカラー関連の教育分野を始めとして色彩を利用したり活用するインテリア用品や服飾分野など様々な分野においてなお広範に利用されている。
【０００３】
上記のカラーアレジメント器具は、一枚の台紙の上に、１２色相のカラーを類型色相の順に３０度ピッチで環状に配置して色相環に形成し、該色相環上の同じ色相のカラーについて明度が異なる５つカラーに５種の名称を付けて前記色相環の半径上で同心的に配置した色相環を形成する一方、前記色相環の中心に回転可能に軸止めした不透光性の円形の回転板であって、この回転板における前記色相環と同径の円の直径上に、基準とする色相のカラー（以下、基準カラーという）と、該基準カラーの補色又は反対色相の関係にある色相のカラーを見るための細い扇型の窓孔を設けて前記回転板を色相選択回転板に形成し、前記色相環と前記回転板によってカラーアレンジメント器具を構成していた。
【０００４】
上記器具は、基準カラーとその基準カラーの補色のカラーが、前記明度差色相環の円周上で１８０度調隔したところに位置付けられた作りの色相環であるため、基準カラーとその補色のカラーを見るための縦長扇型の窓孔が前記色相選択回転板に１８０度調隔して形成され、同時に前記補色カラーの扇型の窓孔の左右両側に、補色カラーに近い色を反対色相のカラーとして見るための扇型の窓孔が形成されている。
【０００５】
上記カラーアレンジメント器具は、基準カラーとその補色カラー、又はその補色カラーに近い色のカラーを見るためにはきわめて便利で使い勝手も良好な器具であった。
しかし、色相や色調について細かく配色したい場合や各色相の配色関係を知りたい場合などに対しては、上記の色相環の作り（構成）と、色相選択回転板の作り（構成）の組合せ（前記色相環の中心に前記回転板を回転自在に軸止めした構造）だけでは対応することができなかった。
【先行技術文献】
【特許文献】
【０００６】
【特許文献１】特許第３１３４０３９公報
【発明の概要】
【発明が解決しようとする課題】
【０００７】
そこで本発明では、従来のカラーアレンジメント器具で用いられていた１２色相と各色相の５段階明度差の色相環における明度差の段階数を６以上に増やすと共に、前記色相環における黄カラーと赤カラー、及び前記黄カラーの補色である青紫カラーと前記赤カラーの補色である青緑カラーを、前後のカラーナンバーにより２分割した色相環を形成する一方、従来のアレンジメント器具と同様に基準カラーとその補色カラー、或は反対色カラーを見ることができることは勿論であるが、従来のアレンジメント器具では不可能であったカラーアンダートーンの色相や、色相，色調について細かい配色アレンジメントを可能にするカラー情報を具備したカラーアレンジメント装置を提供することを課題とする。
【課題を解決するための手段】
【０００８】
上記課題を解決することを目的としてなされた本発明カラーアレンジメント装置の構成は、環状に表示した１２色相であって前記１２色相について複数段階の明度差を付けた３０度単位の色相区分と同心円状に形成した前記明度差の区分（以下、明度差区分）を台紙上に具備した色相環と、前記台紙上の色相環の色相の中から選択する基準色相のカラー（以下、基準カラー）と選択された前記基準カラーの少なくとも補色のカラーとが見えるようにした縦長扇型の窓孔を設けた色相選択回転板とを具備するカラーアレンジメント装置において、前記色相環における１２色相の同心円上の明度差区分を、前記色相環の外周側は高い明度の色相を配置する一方、中心側は低い明度の色相を配置して少なくとも６段階、好ましくは９段階に分けて夫々に記号を含む名前を付けて形成すると共に、前記１２色相における黄と赤の色相区分、及び、これらの反対色である青紫と青緑の色相区分を、夫々にさらに２つに等分割して形成したことを第一の特徴とする。
【０００９】
本発明カラーアレジメント装置は、上記構成に加え、前記色相環を表示した台紙における当該色相環と重複しない空白部位か、又は別の台紙に、前記明度差色相環の色相の中で、色に青みを多く感じる色（＝ブルーアンダートーン）と、色に黄みを多く感じる色（＝イエローアンダートーン）を、夫々に、前記色相環の上で抽出し、抽出したブルーアンダートーンとイエローアンダートーンを、別々の色相環の形でカラーアンダートーンとして表示したことを第二の特徴とする。ここで、前記台紙における空白部位とは、当該台紙の余白部または台紙の裏面若しくは別の台紙である。
【００１０】
さらに本発明カラーアレジメント装置では、前記カラーアンダートーンの表示に隣接した前記台紙の空白部位に、前記色相環の上で色相選択回転板の基準カラーの窓孔の回転位置で選択した基準カラーに対して、その基準カラーと同系色相の配色，同じく基準カラーと類系色相の配色，同じく基準カラーと反対色相の配色の仕方を、前記基準カラーに対する３つの色相配色方法として前記色相環を用いてイラスト表示したことを第三の特徴とする。
【００１１】
加えて本発明カラーアレジメント装置では、上記色相配色方法のイラスト表示に隣接した前記台紙の空白部位に、３つの色調配色方法として、明度差を縦軸に彩度差を横軸にした複数のマトリックス状区画を前記３つの色調配色方法に対応させて形成し、同系色調の配色，類系色調の配色，反対色調の配色の３つの色調配色の夫々について、前記明度差色相環において付与した明度差の記号を含む名称を前記の各マトリックス区画に記入すると共に前記の各マトリックス区画上に配色形態を表示したことを第四の特徴とする。
【発明の効果】
【００１２】
本発明カラーアレジメント装置は、公知カラーアレジメント器具において、１２色相の同心円上の明度差区分を少なくとも６段階、好ましくは９段階に記号を含む名称を付けて形成すると共に、前記１２色相における黄と赤、及び、これらの反対色である青紫と青緑の色相区分をさらに２つに等分割して形成し、前記色相環を表した台紙における当該色相環と重複しない空白部位、又は別の台紙に、前記色相環の色相の中で、色に青みを多く感じる色（＝ブルーアンダートーン）と、色に黄みを多く感じる色（＝イエローアンダートーン）を、夫々に、前記色相環の上で抽出し、これらを２つのカラーアンダートーンとして表示したから、カラーアンダートーンにおけるブルーアンダートーンとイエローアンダートーンに夫々に属する色相群を、それぞれ視覚的に確認し把握することができる。
【００１３】
さらに、本発明カラーアレジメント装置では、前記カラーアンダートーンの分類表示に隣接した台紙の空白部位に、前記色相環の上で色相選択回転板の基準カラーの窓孔の回転位置で選択した基準カラーに対して、その基準カラーと同系色相の配色，同じく類系色相の配色，同じく反対色相の配色の仕方を３つの色相配色方法としてイラスト表示したから、３種類の色相の配色方法を、前記色相環と色相選択回転板を使って容易に、かつ、視覚的に知得することができる。
【００１４】
加えて、本発明カラーアレジメント装置では、上記色相配色方法のイラスト表示に隣接した台紙の空白部位に、３つの色調配色方法として、明度差を縦軸に彩度差を横軸にした複数のマトリックス状区画を前記３つの色調配色法に対応させて形成し、同系色調の配色，類系色調の配色，反対色調の配色の３種の色調配色の夫々について、前記色相環において付与した明度差の記号を含む名称を前記の各マトリックス区画に記入すると共に各マトリックス区画上に３種類の色調の配色形態を表示したから、色相配色方法を、同系色，類系色，反対色の夫々について、直観的でありながらも論理的に知得することが可能になる。
【図面の簡単な説明】
【００１５】
【図１】本発明カラーアレジメント装置の一例における一枚の台紙の左半側に表示された色相環と、前記台紙の右半側に表示されたカラーアンダートーンの２種を示す色相環図、及び、色相配色方法の説明と、色調配色方法の説明を示した平面図。
【図２】図１の明度差色相環の上に、回転自在に軸止めされる色相選択回転板の平面図。
【図３】図1の台紙の色相環に図2の色相選択回転板を軸止めした使用状態の平面図。
【発明を実施するための形態】
【００１６】
次に、本発明カラーアレジメント装置の実施の形態例について図を参照して説明する。
図１において、１は、本発明カラーアレジメント装置ＣＡの構成部材の一つである台紙であり、図の例では、一例としてＢ４版〜Ａ３版の天然又は合成の上質厚紙を横向きにした形で、この台紙1の左半と右半を２つの記載欄Ａ，Ｂとして用いている。ここで、台紙１の大きさや材質は任意である。台紙１の使い方としては、Ｂ５版又はＡ４版の大きさの用紙を縦長にして用い、この用紙の表面と裏面とを２つの記載欄Ａ，Ｂとしたり、同サイズの用紙2枚を2つの記載欄Ａ，Ｂとする態様でもよい。
【００１７】
図１の台紙１の左半側の記載欄Ａには、この記載欄Ａにバランス良く収まる大きさの半径による基礎円２が描かれ、この基礎円２が、同心上に位置する複数の第１の区画線３と直径上の複数の第２の区画線４によって囲まれた複数の横長扇型の区画が形成されている。
具体的には、第１の区画線３が、最小径の同心円３ａから数えて同心上の９本の第１の区画線３により９つの同心円が描かれ、１２本の第２の区画線４が、前記基礎円２の周上に３０度のピッチで描かれている。これにより全部で９×１２＝１０８個の略横長の扇型区画が形成される。
【００１８】
前記の１０８個の全区画において、９０度で変わる直径上に位置した４つの区画は、夫々に、３０度をなす第２の区画線４による角度を、補助区画線４１によって１５度の中心角に２分した分割区画に形成している。
分割区画は、基礎円２の周上に、９０度の間隔で４カ所に形成されている。
【００１９】
前記段落００１７に説明した基礎円２と同心上の９本の第１の区画線３と、当該基礎円２に対して放射状に３０度ピッチで配設した１２本の第２の区画線４において、基礎円2の上に第２の区画線４によって放射状に区分される１２個の縦長の扇型区域は、１２色相のカラーを置くためのスペースを形成する。
【００２０】
一方、前記１２個の縦長扇型区域は、夫々に、基礎円２に対して同心円状に配置される８本の第１の区画線３により９つの横長扇型の区画に区分されている。１２色相のカラーが配置される前記１２個の縦長扇型区域は、各区域ごとに同心円状に９つの横長扇型の区画に区分されているので、１２個の縦長扇型区域の、それぞれの９段階に区分された横長扇型の区画には、各色相のカラーにおける明度の異なるカラーを配置する。
【００２１】
各色相の明度差があるカラーの配置において、基準カラーにおける純色は、図示した例では、前記色相環の基礎円２（外周円）の側から中心側（最少径同心円３ａ）に向かって４番目の横長扇型の区画に配置し、この基準カラーの区画により外周側に位置する３つの横長扇型区画に高明度のカラーを配置し、前記基準カラーを含む中間の３つの横長扇型区画に中明度のカラーを配置し、最少径同心円３ａに向かう３つの横長扇型区画には低明度のカラーを配置している。
上記の３区画ごとに明度が異なるカラーは、それぞれ３区画ごとに彩度順に配置されている。即ち、高明度のカラーは、３区画において前記色相環の中心に向かって彩度が低―中―高の順に配置され、中明度のカラーは彩度が高―中―低の順に配置され、
低明度のカラーでは、彩度が低−中―高の順に配置されている
上記のようにして、１２の各色相のカラーについて、基準カラーと明度と彩度が異なるカラーが、上記例と同じ要領で配置されて、色相環ＨＣが台紙１における記載欄Ａに形成されている。
【００２２】
なお、前記色相環ＨＣにおいて、９０度ピッチで略十字状に配置された中心角が１５度の分割区画２つで形成される区域には、夫々に、黄，青紫，赤，青緑の2種類の色相が配置されている。
【００２３】
上記の１２個の縦長扇型の区域に配置される１２色相の各カラーは、夫々に基準カラーを挟んで同心上で９つの明度と彩度の異なるカラーが配置されて色相環ＨＣを形成しているが、本発明では、前記９つの明度と彩度に差があるカラーに、基礎円２の側から中心に向って順に、次の記号と各称を付けた。この記号と各称は、後で説明する色相配色，色調配色の便宜のためであるから、ここに挙げた記号と各称に限られる訳ではない。
ｐ１  優しい
ｃ１  すっきりした
ｂｔ  明るい
ｖｖ  鮮やかな
ｄ１  地味な
１ｇ  薄い灰みの
ｔｄ  とても暗い
ｄｋ  暗い
ｄｐ  濃い
上記において、ｐｌ，ｃｌ，ｂｔは高明度グループ、ｖｖ，ｄｌ，ｌｇは、中明度グループ、ｔｄ，ｄｋ，ｄｐは低明度グループになっている。また、前記の各グループのカラーは、前記明度による配置と同時に、彩度順にも配置されている。具体的には、高明度グループの３つのカラーは、色相環の外周から中心に向かって、彩度が低−中―高の順で、中明度グループの３つのカラーは、彩度が高―中―低の順で、低明度グループの３つのカラーは、彩度が低−中―高の順に配置されている。上記の記号と各称は、図２によって後に説明する色相選択回転板５に表示して用いられる。
【００２４】
上記台紙１の記載欄Ａに形成される色相環ＨＣは、各区画に直接印刷したり、カラー見本を貼着すること等で形成すればよい。また、上記基礎円２や区画線３，４，４１は、表示される各カラーの境界によっても形成できるから、これらの線３，４，４１を描かない場合もある。
【００２５】
次に、図２に例示した平面視円形の色相選択回転板５（以下、単に回転板５ともいう）は、次の構成を備えたものである。
色相選択回転板５は、前記１２色相の各基準カラーを中間に挟んで色相環ＨＣの基準円２と略同径の円板体で形成されている。この回転板５の中心は、台紙１の色相環ＨＣの中心と回転軸６で軸止めされる（図３参照）。
【００２６】
上記回転板５には、前記台紙１の色相環ＨＣにおける同系色相を見るための中心角を２０度とする細い扇型状の窓孔７と前記回転軸６挟んで対象になる位置に、前記窓孔７と同じ大きさ、形状の窓孔８とが形域されている。前記窓孔７に見える色相のカラーを基準カラーとすると、前記窓孔８に見えるカラーは、前記基準カラーの反対色（補色）である。７ａは窓孔７の上方（外周側）に表示された基準カラーである旨の表示、８ａは窓孔８の下方（外周側）に表示された反対色（補色）のカラーである旨の表示である。
【００２７】
９，１０は、上記窓孔７の左右両側に形域した、窓孔７に見える基準カラーに類似する色が見えるように形成した中心角が５０度の細い扇型状の窓孔、１１，１２は、前記窓孔８の左，右両側に形成した、窓孔８に見える反対色（補色）のカラーに近い色相のカラーが見えるように形成した窓孔８と同じ大きさの反対色相カラー用の窓孔である。
９ａ，１０ａは、窓孔９，１０が窓孔７に見える基準カラーの類系色相のカラーが見える窓である旨を前記窓孔９，１０の外側に示した類系色相の表示、１１ａ，１２ａは、窓孔８に見える反対色（補色）に近い反対色相のカラーが見える窓孔１１，１２が、反対色相用の窓である旨を示した反対色相の表示である。
なお、類系色相の窓孔９，１０は夫々に２つの色相にまたがる幅（ここでは中心角５０度）の扇型状に形成されているが、反対色相の窓孔１１，１２は、夫々に１つの色相に対応した幅（ここでは中心角２０度）の扇型状である。
【００２８】
図２に示した実施例において、前記色相選択回転板５における窓孔７〜１２に現われる各色相のカラーは、この回転板５の半径上において９段階の明度差を持って各窓孔７〜１２から見える。
そこで本発明では、各色相の９段階の明度差を持つカラーの夫々に対して、段落００２３に記載した記号１３と名称１４を付与している。この記号１３と名称１４が、前記類系色相が見える窓孔９における回転板５の半径方向に沿って表示されている。この記号１３と名称１４は、段階００２３で説明した記号と名称と同じである。
【００２９】
以上のように形成された台紙１の色相環ＨＣと、この色相環ＨＣに中心を合せてハト目等の回転軸６によって回転自在に取付けられた色相選択回転板５により、前記回転板５を回転させて基準色の窓孔７を適宜の基準色に合わせると、窓孔８に、前記窓孔７に見える基準カラーの反対色（補色）のカラーを見ることができ、また、前記窓孔７の基準カラーの左右の両側の窓孔９，１０に、当該基準カラーの複数の類系色相のカラーを見ることができる。さらに、前記窓孔８に見える反対色（補色）カラーの左右両側の窓孔１１，１２に前記反対色のカラーに類似する反対色相のカラーを見ることができる。
【００３０】
上記台紙１の記載欄Ａの色相環ＨＣと窓孔７〜１２を形成した回転板５の関係による機能，作用は、公知のカラーアレジメント器具も備えたものであるが、本発明では、上記台紙１の記載欄Ｂに表示したカラー情報を利用したカラーアレジメント機能が従来のカラーアレジメント器具と全く異なる機能であるから、この点について、以下に図を参照して説明する。
【００３１】
図１の台紙１において、右半側の記載欄Ｂの上部には、台紙１の左半側に表示した色相環ＨＣから抜粋した形の２つの環状の色相図７，８が表示されている。
上記２つの色相図７，８において、左側の色相図７は、前記色相環ＨＣの中で「色に青みを多く感じる色」を「ブルーアンダートーン/Ｂｕ」と定義付けて色相環の上に抽出した「Ｂｕ色相図７」であり、右側の色相図８が、前記色相環ＨＣの中で「色に黄みを多く感じる色」を「イエローアンダートーン/Ｙｕ」と定義付けて色相環の上に抽出した「Ｙｕ色相図８」である。
上記２つの色相図７，８は、台紙１の左半側の記載欄Ａの色相環ＨＣのすべての色が、青みを多く感じる色か、黄みを多く感じる色かの２群に分けられることを示しており、色彩（カラー）の選択における選択基準になるカラー情報として利用できる。
【００３２】
台紙１の右半側の記載欄Ｂにおいて、上記の「Ｂｕ色相図７」と「Ｙｕ色相図８」の下方の台紙１の中間から下方にかけての欄には、「基本的な配色テクニック」として、「色相配色方法９」と「色調配色方法１０」の２種類の配色方法が例示されている。
【００３３】
「色相配色方法９」は、色相環ＨＣと、この色相環ＨＣ上の特定カラーに対する回転板５の窓孔７〜１２の選択位置によって、３種類の色相配色方法があることを具体的に例示している。即ち、前記色相環ＨＣにおける3３０度以内にある同じ色相からカラーを選択する「同系色相による配色９ａ」、前記色相環ＨＣの中で選んだ基準カラーに対して９０度の範囲内にある類似した色相の中のカラーで配色する「類系色相による配色９ｂ」、基準カラーに対し反対側の９０度の範囲内にある反対色カラーで配色する「反対色相による配色９ｃ」を選択できることが、例示されている。
【００３４】
前記台紙１の右半側の記載欄Ｂにおける最下方の欄には、台紙１の左半側の色相環ＨＣに装着した回転板５に印した９段階の記号１３を用いて、３種類の「色調配色方法１０」が例示されている。
すなわち、３種類の「色調配色方法１０」には、「同系色調の配色１０ａ」，「類系色調の配色１０ｂ」，「反対色調の配色１０ｃ」があり、いずれも９段階の明度差を表した９個の記号１３（段落００２３参照）を、縦軸を明度，横軸を彩度とする９個のマトリックス状区画の中に記入し、記号１３が記入されたマトリックス状配置の、図の例では４つの記号表１１ａ〜１１ｄによって、３種類の色調配色を把握できるようになっている。具体的には、同じ色調同士のカラーによる同系色調の配色、明度に共通性がある類系色調の配色、明度に共通性があり彩度に差がある反対色調の配色、或は明度，彩度共に差がある反対色調の配色という３種類の色調配色の中から好みの色調配色を選択できるようになっている。
【００３５】
以上に説明した台紙１の記載欄Ｂは、図１に示した台紙１の右半側（又は左半側）の大きさの１枚の用紙を１枚の台紙（図示せず）とし、この図示しない１枚の台紙の表面を記載欄Ａとし裏面を記載欄Ｂとしてもよい。或は、前記台紙１の右半側又は左半側と同じ大きさの別の台紙を２枚用意し、１枚目を記載欄Ａに、２枚目を記載欄Ｂとしてもよい。
【００３６】
本発明は、以上の通りであって、台紙１の左半側の記載欄Ａの色相環ＨＣと、この色相環ＨＣに回転軸６で取付けた色相選択回転板５とにより形成される装置によるカラーアレジメントだけではなく、台紙１の右半側の記載欄Ｂに設けた、カラーアンダートーン分類の２つの色相図７，８、並びに、前記色相図７，８の下方に表示した基本的配色テクニックの例として「色相配色方法９」及び「色相配色方法１０」のカラー情報の表示を具備するから、従来のカラーアレジメント器具では不可能であったカラーアンダートーンの内容を具体的に確認することができる。また、前記色相環ＨＣを用いた配色テクニックも、色相基調の配色や色調基調の配色を、視覚的に容易にかつ迅速に把握，理解することができるという効果が得られる。
【符号の説明】
【００３７】
ＣＡ  本発明カラーアレジメント装置
１  台紙
Ａ，Ｂ  台紙１の左右の記載欄
２  基礎円
３  同心状区画線
３ａ  中心円
４  放射状（径方向）区画線
Ｈｃ  色相環
５  色相選択回転板
６  回転軸
７〜１２  窓孔
【図１】
2018010050.tif 000003
【図２】
2018010050.tif 000004
【図３】
2018010050.tif 000005